(57)【要約】【課題】軸線方向に配置された２つの緊張材を接続するとともに、この接続部分で双方の緊張材に緊張力を導入して双方の緊張材に連続する緊張力を導入する。【解決手段】第１の緊張材５ａ及び第２の緊張材５ｂの端部に、第１の緊張材保持体１１ａ及び第２の緊張材保持体１１ｂを装着する。これらの緊張材保持体に緊張力導入装置を係止し、双方の緊張材の端部を互いに引き寄せるように緊張力を導入する。互いに対向する第１の緊張材と第２の緊張材の端面間に連結鋼棒１４を配置し、双方の緊張材に緊張力が導入された状態で、第１の緊張材及び第２の緊張材と連結鋼棒と連結鋼棒とを、連結鋼棒の両端に予め螺合された接続具１５ａ，１５ｂによって接続する。上記第１の緊張材及び第２の緊張材は、損傷が生じた既存の緊張材の一部を切断除去した後に再び連結する緊張材、又は既存の緊張材と新たに配置した新規緊張材とすることができる。【選択図】図４
2015004188.tif 000002
【特許請求の範囲】
【請求項１】
第１の緊張材と該第１の緊張材の軸線の延長線上において一方の端面が前記第１の緊張材の一方の端面と対向するように配置された第２の緊張材とを接続するとともに、双方の緊張材に連続するように緊張力を導入する緊張材の緊張接続方法であって、
前記第１の緊張材の一方の端部に、該第１の緊張材に軸線方向の力を伝達することができる第１の緊張材保持体を装着し、前記第２の緊張材の一方の端部に、該第２の緊張材に軸線方向の力を伝達することができる第２の緊張材保持体を装着し、
前記第１の緊張材の他方の端部及び前記第２の緊張材の他方の端部は構造部材に定着した状態で、前記第１の緊張材保持体及び前記第２の緊張材保持体の双方に緊張力導入装置を係止して、双方の緊張材の端部を互いに引き寄せるように双方の緊張材に緊張力を導入し、
互いに対向する前記第１の緊張材の端面と前記第２の緊張材の端面との間に連結鋼棒を配置し、
前記第１の緊張材及び前記第２の緊張材に緊張力が導入された状態で、前記連結鋼棒の一端に螺合された第１の接続具によって前記第１の緊張材と該連結鋼棒と接続し、該連結鋼棒の他端に螺合された第２の接続具によって前記第２の緊張材と該連結鋼棒とを接続することを特徴とする緊張材の緊張接続方法。
【請求項２】
前記第１の緊張材保持体と前記第２の緊張材保持体との少なくとも一方は、
円筒状となった外周部に雄ねじが形成され、軸線方向の中空孔内に前記第１の緊張材又は第２緊張材が挿通される雌コーンと、
前記雌コーンの中空孔の内周面と前記第１の緊張材又は第２緊張材の外周面との間に押し入れられるくさび形状の雄コーンと、を有するものであり、
前記緊張力導入装置は、前記雌コーンに係止して緊張材に緊張力を導入するものであり、
前記第１の接続具又は前記第２の接続具は、前記雌コーンの外周部に形成された雄ねじと螺合されるものであることを特徴とする請求項１に記載の緊張材の緊張接続方法。
【請求項３】
両端が構造部材に定着された一連の緊張材の中間部分の一部を切り取り、
分割された緊張材の一方を第１の緊張材、他方を第２の緊張材として請求項１又は請求項２に記載の緊張材の緊張接続方法を適用し、これらの緊張材に緊張力を導入した状態で接続することを特徴とする緊張材の一部交換方法。
【請求項４】
両端が構造部材に定着された一連の緊張材の中間部分の一部を切り取り、
分割された緊張材の一方に、切り取った緊張材に代えて配置した新規緊張材を接続し、
分割された他方の緊張材を第１の緊張材、前記新規緊張材を第２の緊張材として、請求項１又は請求項２に記載の緊張材の緊張接続方法を適用し、分割された双方の緊張材及び前記新規緊張材に緊張力を導入した状態で接続することを特徴とする緊張材の一部交換方法。
【請求項５】
両端が構造部材に定着された一連の緊張材の中間部分を切断し、
分割された前記緊張材の一方を除去し、該緊張材に代えて新規緊張材を配置し、
該新規緊張材の、除去した緊張材が定着されていた側の端部を構造部材に定着し、
分割された前記緊張材の他方を第１の緊張材、前記新規緊張材を第２の緊張材として請求項１又は請求項２に記載の緊張材の緊張接続方法を適用し、
これらの緊張材に緊張力を導入した状態で接続することを特徴とする緊張材の一部交換方法。
【発明の詳細な説明】
【技術分野】
【０００１】
本発明は、軸線方向に配置された２つの緊張材を接続するとともに、双方の緊張材に連続するように接続部分で緊張力を導入する緊張材の緊張接続方法、及びこの方法を用いた緊張材の一部交換方法に関するものである。
【背景技術】
【０００２】
コンクリート部材にプレストレスを導入するために用いられる緊張材は、一本の長さが大きくなったときや、コンクリート構造物を段階的に形成するときに、接続具によって接続して用いられる。このように接続具を用いて接続された緊張材であっても、一般的に緊張力は接続された緊張材の端部において導入される。しかし、緊張材の端部がコンクリート部材内に埋め込まれている場合、緊張材の端部では他の構造物等によって緊張力を導入するためのジャッキが装着できない場合、既にプレストレスが導入されているプレキャストコンクリート部材を接続してプレストレスを連続するように導入する場合等においては、２つの緊張材を接続する部分で緊張力を導入し、これらを緊張力が連続するように接続することが望まれる場合がある。
【０００３】
例えば、既存のプレストレストコンクリート部材に埋め込まれた緊張材の一部に損傷が生じ、緊張材の一部をはつり出して交換しようとするときには、緊張材の端部を含む大部分がコンクリー部材内に埋め込まれており、交換部分で緊張力を導入することが求められる。
【０００４】
特許文献１には、プレストレスが導入された２つのコンクリート部材の緊張材を接続するともに、接続部分を越えて双方の緊張材間で連続する緊張力を導入する方法が記載されている。
【先行技術文献】
【特許文献】
【０００５】
【特許文献１】特開平８−２０９８１１号公報
【発明の概要】
【発明が解決しようとする課題】
【０００６】
しかし、特許文献１に記載の方法では、それぞれのコンクリート部材に配置された緊張材には予め緊張力が導入されており、緊張材の接続部分では特殊定着具を介挿しておく必要がある。このため、緊張材に損傷等が生じたときの補修に用いることができない。
【０００７】
本発明は、上記のような事情に鑑みてなされたものであり、その目的は、軸線方向に配置された２つの緊張材を接続するとともに、双方の緊張材に連続するように接続部分で緊張力を導入する方法、及びこの方法を用いて緊張材の一部を交換する方法を提供することである。
【課題を解決するための手段】
【０００８】
上記課題を解決するために、請求項１に係る発明は、   第１の緊張材と該第１の緊張材の軸線の延長線上において一方の端面が前記第１の緊張材の一方の端面と対向するように配置された第２の緊張材とを接続するとともに、双方の緊張材に連続するように緊張力を導入する緊張材の緊張接続方法であって、  前記第１の緊張材の一方の端部に、該第１の緊張材に軸線方向の力を伝達することができる第１の緊張材保持体を装着し、前記第２の緊張材の一方の端部に、該第２の緊張材に軸線方向の力を伝達することができる第２の緊張材保持体を装着し、  前記第１の緊張材の他方の端部及び前記第２の緊張材の他方の端部は構造部材に定着した状態で、前記第１の緊張材保持体及び前記第２の緊張材保持体の双方に緊張力導入装置を係止して、双方の緊張材の端部を互いに引き寄せるように双方の緊張材に緊張力を導入し、  互いに対向する前記第１の緊張材の端面と前記第２の緊張材の端面との間に連結鋼棒を配置し、  前記第１の緊張材及び前記第２の緊張材に緊張力が導入された状態で、前記連結鋼棒の一端に螺合された第１の接続具によって前記第１の緊張材と該連結鋼棒と接続し、該連結鋼棒の他端に螺合された第２の接続具によって前記第２の緊張材と該連結鋼棒とを接続する緊張材の緊張接続方法を提供する。
【０００９】
この方法では、緊張材のそれぞれに装着された緊張材保持体に緊張力導入装置を係止し、接続しようとする端部で双方の緊張材を引き寄せるように緊張力を導入することができる。緊張力の導入によって緊張材に伸びが生じ、双方の緊張材の対向する端面間の間隔が変動するが、緊張力を導入したときの間隔に合わせて長さを調整した連結鋼棒を介挿することにより、双方の緊張材に緊張力を導入した状態で、連結鋼棒の両端部をそれぞれ緊張材と接続することができる。接続後、緊張力導入装置による引き寄せる力を解放すると、双方の緊張材の緊張力が連結鋼棒を介して互いに伝達され、双方の緊張材に連続して緊張力が導入される。
【００１０】
請求項２に係る発明は、請求項１に記載の緊張材の緊張接続方法において、  前記第１の緊張材保持体と前記第２の緊張材保持体との少なくとも一方は、  円筒状となった外周部に雄ねじが形成され、軸線方向の中空孔内に前記第１の緊張材又は第２緊張材が挿通される雌コーンと、  前記雌コーンの中空孔の内周面と前記第１の緊張材又は第２緊張材の外周面との間に押し入れられるくさび形状の雄コーンと、を有するものであり、  前記緊張力導入装置は、前記雌コーンに係止して緊張材に緊張力を導入するものであり、  前記第１の接続具又は前記第２の接続具は、前記雌コーンの外周部に形成された雄ねじと螺合されるものとする。
【００１１】
この方法では、緊張材が鋼線、鋼より線であっても良いし、鋼棒であって端部にナット等を螺合するためのねじ山が形成されていないものであっても、緊張材保持体を装着して緊張力の導入及び接続を行うことが可能となる。また、緊張材を保持するためにくさび形状の雄コーンが用いられるが、緊張材との間に雄コーンが押し入れられた雌コーンを介して緊張力を導入するので、連結鋼棒を接続して緊張力導入装置による引き寄せる力を解放するときに、緊張材に緩みが生じるのを抑制することができる。
【００１２】
請求項３に係る発明は、  両端が構造部材に定着された一連の緊張材の中間部分の一部を切り取り、  分割された緊張材の一方を第１の緊張材、他方を第２の緊張材として請求項１又は請求項２に記載の緊張材の緊張接続方法を適用し、これらの緊張材に緊張力を導入した状態で接続する緊張材の一部交換方法を提供する。
【００１３】
この方法では、緊張材の中間部分における一部に損傷が生じたときに、この部分を切り取った後、両側の緊張材を接続して一連の緊張材に戻すとともに、接続部分で緊張力を導入し、一連の緊張材に連続した緊張力が導入された状態に復元することができる。
【００１４】
請求項４に係る発明は、  両端が構造部材に定着された一連の緊張材の中間部分の一部を切り取り、  分割された緊張材の一方に、切り取った緊張材に代えて配置した新規緊張材を接続し、  分割された他方の緊張材を第１の緊張材、前記新規緊張材を第２の緊張材として、請求項１又は請求項２に記載の緊張材の緊張接続方法を適用し、分割された双方の緊張材及び前記新規緊張材に緊張力を導入した状態で接続する緊張材の一部交換方法を提供する。
【００１５】
この方法では、緊張材の中間部分における一部に損傷が生じ、この部分を切り取ったときに、この切除部分が長くなっていても切除部分の両側の緊張材を一連の緊張材となるように繋ぐとともに、接続部分で緊張力を導入して一連となった緊張材に連続した緊張力を導入することができる。
【００１６】
請求項５に係る発明は、  両端が構造部材に定着された一連の緊張材の中間部分を切断し、  分割された前記緊張材の一方を除去し、該緊張材に代えて新規緊張材を配置し、  該新規緊張材の、除去した緊張材が定着されていた側の端部を構造部材に定着し、  分割された前記緊張材の他方を第１の緊張材、前記新規緊張材を第２の緊張材として請求項１又は請求項２に記載の緊張材の緊張接続方法を適用し、これらの緊張材に緊張力を導入した状態で接続する緊張材の一部交換方法を提供する。
【００１７】
この方法では、構造部材に配置されている緊張材の一方の端部を含む一部に交換の必要が生じたときに、緊張部材の中間部分で切断し、切断された一方を新たな緊張材と交換して接続するとともに、接続部分で緊張力を導入して一連の緊張材に連続した緊張力を導入することができる。したがって、緊張材を交換した側の端部で、緊張材に緊張力を導入するためのスペースを確保できない場合にも、端部を含む緊張材の一部を交換して緊張材に連続する緊張力が導入された交換前の状態に復元することができる。
【発明の効果】
【００１８】
以上説明したように、本発明の緊張材の緊張接続方法では、軸線方向に配置された２つの緊張材を接続するとともに、この接続部分で双方の緊張材に緊張力を導入して双方の緊張材に連続して緊張力が導入された状態とすることができる。また、本発明の緊張材の一部交換方法では、構造物に配置された緊張材の一部を切除し、この部分を新たな緊張材に交換した後、接続部分で緊張力を導入して一連の緊張材に再び連続した緊張力が導入された状態に復元することができる。
【図面の簡単な説明】
【００１９】
【図１】本願発明の一実施形態である緊張材の一部交換方法によって補修される橋桁の一部を示す概略側面図及び概略断面図である。
【図２】本願発明に係る緊張材の緊張接続方法によって接続された緊張材の接続部分の例を示す概略断面図である。
【図３】本願発明の一実施形態である緊張材の緊張接続方法によって緊張材に緊張力を導入し、緊張材を接続する工程を示す概略断面図である。
【図４】本願発明の一実施形態である緊張材の緊張接続方法によって緊張材に緊張力を導入し、緊張材を接続する工程を示す概略断面図である。
【図５】本願発明の一実施形態である緊張材の緊張接続方法によって緊張材に緊張力を導入し、緊張材を接続する工程を示す概略断面図である。
【図６】本願発明の他の実施形態である緊張材の一部交換方法によって緊張材の一部を新たな緊張材に交換する工程を示す概略断面図である。
【図７】図６示す方法において用いられる緊張材の接続構造を示す概略断面図である。
【図８】本願発明の他の実施形態である緊張材の一部交換方法によって緊張材の一部を新たな緊張材に交換する工程を示す概略断面図である。
【図９】本願発明の他の実施形態である緊張材の一部交換方法によって緊張材の一部を新たな緊張材に交換する工程を示す概略断面図である。
【発明を実施するための形態】
【００２０】
以下、本発明の実施の形態を図に基づいて説明する。
図１は、本願発明に係る緊張材の一部交換方法によって補修される橋桁の一部を示す概略側面図及び概略断面図である。
この橋桁１は、プレストレストコンクリートからなるものであり、断面は図１（ｂ）に示すように上床版２と下床版３とこれらを上下に連結するウェブ４とで構成されている。そして、橋桁１の軸線方向にプレストレスを導入するための緊張材５がコンクリート部材内に埋め込むように配置されている。
【００２１】
上記緊張材５の一部に損傷部分があるときに、本発明の一実施形態である緊張材の一部交換方法を適用することができるものであり、この方法によって損傷部分を切除し、再び一連の緊張材に復元して緊張力を導入する工程について、次に説明する。
【００２２】
図１に示すように、緊張材５の損傷部分５ｃは、コンクリートをはつって緊張材を露出させる。そして、図３（ａ）に示すように損傷部分５ｃを切断して除去する。切断することによって分離された緊張材の双方５ａ，５ｂを接続して緊張力を導入するには、本願発明に係る緊張材の緊張接続方法を適用することができ、その一実施形態によって双方の緊張材５ａ，５ｂは図２に示すように接続することができる。
なお、上記緊張材５ａ，５ｂは、鋼棒であっても良いし、鋼線又は鋼より線であっても良い。
【００２３】
それぞれの緊張材５ａ，５ｂには緊張材保持体１１ａ，１１ｂが装着されており、この緊張材保持体１１ａ，１１ｂは、内側に緊張材５が挿通される筒状の雌コーン１２と、この雌コーン１２と緊張材５との間に押し入れられるくさび形状の雄コーン１３とを有するものである。雄コーン１３は緊張材５の切断端面側から雌コーン１２内に押し入れられ、雌コーン１２を緊張材５の切断端面側に移動させようとすると、くさび形状の雄コーン１３が雌コーン１２の内周面と緊張材５との間に強く押し入れられる。したがって、雌コーン１２を介して緊張材５を保持し、緊張材５に緊張力を導入することが可能となるものである。
【００２４】
切断することによって分離された緊張材５ａ，５ｂの双方の対向する端面間には、切除した緊張材５ｃに代えて、両端部にねじ山が形成された連結鋼棒１４が配置されている。そして、連結鋼棒１４の両端部が上記緊張材保持体１１の雌コーン１２とそれぞれ接続されている。接続には、カプラー１５が用いられ、該カプラー１５の両端部にはそれぞれ互いに径が異なる雌ねじが形成されている。そして、緊張材５に装着された緊張材保持体１１の雌コーン１２の外周面に形成されたねじ山１２ｃと上記カプラー１５の一方の端部付近に形成された雌ねじとが螺合され、カプラー１５の他方の端部付近に形成された雌ねじが連結鋼棒１４の端部に形成されたねじ山と螺合されることによって緊張材５ａ，５ｂと連結鋼棒１４とが接続されている。
【００２５】
上記緊張材保持体１１、連結鋼棒１４及びカプラー１５を用いて緊張材５ａ，５ｂを接続する工程は、まず、図３（ｂ）に示すように、切断して分離された双方の緊張材５ａ，５ｂの端部付近に緊張材保持体１１ａ，１１ｂを装着する。そして、図４（ａ）に示すように緊張力導入装置である引き寄せジャッキ１６を用い、この引き寄せジャッキの２つのアーム１６ａ，１６ｂを双方の緊張材５ａ，５ｂに装着された緊張材保持体１１ａ，１１ｂの雌コーン１２ａ，１２ｂに、切断端面と反対側から係止する。上記引き寄せジャッキ１６は、油圧によって２つのアーム１６ａ，１６ｂが互いに接近するように動作させることができるものである。この引き寄せジャッキ１６の作動によって、緊張材保持体１１ａ，１１ｂとともに双方の緊張材５ａ，５ｂの端部を互いに引き寄せ、双方の緊張材５ａ，５ｂに緊張力を導入する。このとき、緊張力の導入によって緊張材５ａ，５ｂには伸びが生じ、双方の緊張材５ａ，５ｂの端面は互いに接近する。
【００２６】
緊張力が導入された状態を維持したまま、図４（ｂ）に示すように双方の緊張材５ａ，５ｂの端面間に連結鋼棒１４を配置する。この連結鋼棒１４は、双方の緊張材５ａ，５ｂに伸びが生じた状態で両端面が双方の緊張材５ａ，５ｂの切断端面と接触又は近接して対向するように長さを調整したものである。そして、この連結鋼棒１４の両端部にはカプラー１５ａ，１５ｂを螺合しておき、連結鋼棒１４を双方の緊張材５ａ，５ｂの端面間に配置することができるように深くねじり合わせておく。この連結鋼棒１４を双方の緊張材５ａ，５ｂの軸線の延長線上に配置した状態で双方のカプラー１５ａ，１５ｂを回転し、図５（ａ）に示すように２つのカプラー１５ａ，１５ｂを、双方の緊張材５ａ，５ｂに装着された雌コーン１２ａ，１２ｂの外周面に形成されたねじ山とねじり合わせる。
【００２７】
このように連結鋼棒１４の両端部がそれぞれ緊張材５ａ，５ｂと接続されると、引き寄せジャッキ１６の引き寄せる力を解放する。これによって、導入された緊張力は連結鋼棒１４を介して双方の緊張材５ａ，５ｂ間で伝達され、双方の緊張材５ａ，５ｂに連続した緊張力が導入された状態となる。緊張力が導入された緊張材５ａ，５ｂは必要に応じて防錆処理等を行った後、図５（ｂ）に示すように新たに打設するコンクリート１７に埋め込んで橋桁を修復する。
【００２８】
このように緊張材５ａ，５ｂを緊張し、接続することによって既存の緊張材の損傷部分を連結鋼棒１４に置き換えるとともに、切断した緊張材を再び一連の緊張材として機能するように接続して連続した緊張力を導入することができる。
【００２９】
次に、緊張材の損傷部分が広い範囲に及び、緊張材の長い部分を切除した場合における緊張材の一部交換方法について説明する。
この方法においても、図６（ａ）に示すように緊張材２０に損傷が生じている部分のコンクリートをはつって緊張材２０を露出させる。そして、緊張材２０の損傷が生じている部分２０ｃを切除する。このとき、緊張材が露出される部分、切除する部分は図１に示す例より長くなっている。
【００３０】
切除によって分離された緊張材の一方２０ｂには、図６（ｂ）に示すように切除した緊張材に代えて新規緊張材２９を接続する。新規緊張材２９としては鋼棒を用いることができ、一方の緊張材２０ｂと接続する端部にはねじ山２９ｂを設けておく。そして、接続には図２に示す例における連結鋼棒１４と緊張材５との接続に用いた緊張材保持体１１及びカプラー１５と同様のものを用いることができる。つまり、図７（ａ）に示すように分離された一方の緊張材２０ｂに緊張材保持体２１ｂを装着する。そして、新規緊張材２９の端部に形成されたねじ山２９ｂにはカプラー２５ｂの一方の端部を螺合するとともに、他方の端部を緊張材保持体２１ｂが有する雌コーン２２ｂの外周面に形成されたねじ山と螺合する。
【００３１】
新規緊張材２９は、一方の緊張材２０ｂと上記のように接続したときに、他端と他方の緊張材２０ａの端面との間隔が所定の値の範囲となるように長さを調整しておく。所定の値の範囲は、該新規緊張材２９と他方の緊張材２０ａとに緊張材保持体を装着して引き寄せジャッキ１６で引き寄せることができる範囲で設定するものである。
【００３２】
新規緊張材２９の他端にもねじ山２９ａを形成しておき、この新規緊張材２９の他端に緊張材保持体として、図７（ｂ）に示すようにナット２６を螺合する。一方、他方の緊張材２０ａには、図２に示す例と同様に雌コーン２２ａと雄コーン２３ａとを有する緊張材保持体２１ａを装着する。上記新規緊張材２９に装着されたナット２６と他方の緊張材２０ａに装着された緊張材保持体２１ａとに２つのアーム１６ａ，１６ｂを係止して引き寄せジャッキ１６を装着し、新規緊張材２９と緊張材２０ａとを引き寄せる。これにより、新規緊張材２９を介して双方の緊張材２０ａ，２０ｂに緊張力が導入される。引き寄せジャッキ１６によって緊張力が導入されている状態で、新規緊張材２９の端面と他方の緊張材２０ａの端面との間に連結鋼棒２４を配置し、連結鋼棒２４の両端部にそれぞれ予め螺合しているカプラー２５ａ，２５ｃによって連結鋼棒２４の両端を他方の緊張材２０ａ及び新規緊張材２９と接続する。連結鋼棒２４と他方の緊張材２０ａとを接続するためのカプラー２５ａは、図２に示す例で用いられるカプラー１５と同様のものを用いることができ、回転して他方の緊張材２０ａに装着された緊張材保持体２１ａの雌コーン２２ａに形成されたねじ山と螺合することができる。また、連結鋼棒２４と新規緊張材２９とを接続するためのカプラー２５ｃは、連結鋼棒２４と新規緊張材２９とに同径の鋼棒を用いているので長さ方向に一様な内径を有する長ナット状のカプラーを用いることができる。
【００３３】
このように双方の緊張材２０ａ，２０ｂを新規緊張材２９及び連結鋼棒２４を介して一連の緊張材として機能するように接続し、引き寄せジャッキ１６による引き寄せる力を解放すると、双方の緊張材２０ａ，２０ｂと新規緊張材２９と連結鋼棒２４とに連続する緊張力が導入される。
【００３４】
次の本発明に係る緊張材の一部交換方法の他の実施形態について説明する。
この方法は、図８（ａ）に示すように橋脚３２上に一方の端部が支持された橋桁３１の端部３１ａに損傷が生じ、端桁の端部における緊張材３３を交換するともに橋桁３１の端部のコンクリートを打ち直そうとするものである。
【００３５】
橋桁３１は、図８（ｂ）に示すように仮支柱３４等を設けて支持し、端部を粉砕して除去する。また、配置されている緊張材３３は健全な部分のコンクリートから一部が突き出した状態として端部を切断し、除去する。そして、図９（ａ）に示すように修復する橋桁３１の端部に型枠３５を組み立て、必要な鉄筋（図示しない）を配置するとともに、切除した緊張材に代えて新規緊張材３６を配置する。このとき新規緊張材３６は、既存の緊張材３３の延長線上に配置し、既存の緊張材３３の切断端面と新規緊張材３６の対向する端面との間隔を所定の範囲となるように調整しておく。また、新規緊張材３６は、周囲を覆うように筒状のシースを装着した状態で配置し、橋桁の端部に打設されるコンクリートと付着しないようにする。そして、既存の緊張材３３及び新規緊張材３６の互いに接続する端部付近は打設するコンクリートから露出するように型枠３７を設ける。
【００３６】
橋桁の端部を修復するコンクリート３１ｂを打設し、コンクリートが硬化した後、上記新規緊張材３６と既存の緊張材３３に緊張力を導入するとともに、新規緊張材３６と既存の緊張材３３とを接続する。緊張力の導入は、橋桁の端部では隣接する橋桁３８によって行うことができない状態となっている。
緊張力の導入及び接続は、新規緊張材３６として鋼棒を用いるときには、図７に示す例と同様に新規緊張材３６及び既設の緊張材３３に緊張力を導入し、接続することができる。つまり、新規緊張材３６の既設の緊張材３３と接続する端部３３ａにねじ山を形成しておき、このねじ山に螺合したナット４１を緊張材保持体とすることができる。また、既存の緊張材３３には図７に示す例と同様に雄コーンと雌コーンとを有する緊張材保持体４２を装着することができる。これらのナット４１及び緊張材保持体４２に２つのアームが係止されるように引き寄せジャッキを装着し、緊張力の導入、連結鋼棒４３の配置及びカプラー４４，４５による接続を行うことができる。
【００３７】
一方、新規緊張材３６として鋼より線が用いられるときには、図２に示す例と同様に新規緊張材にも雄コーンと雌コーンとを有する緊張材保持体を装着し、該緊張材保持体と既存の緊張材に装着された緊張材保持体とに引き寄せジャッキの２つのアームを係止して緊張力の導入、連結鋼棒の配置及び接続を行うことができる。
【００３８】
本発明に係る緊張材の緊張接続方法及び緊張材の一部交換方法は、以上に説明した実施の形態に限定されるものではなく、本発明の範囲内において他の形態で実施することができる。
例えば、本発明に係る緊張材の緊張接続方法は、緊張材の一部を交換する場合以外にも、コンクリート部材に配置された緊張材の両端部において緊張力の導入ができない場合、二つのコンクリート部材に配置された緊張材を接続するとともに接続部分で緊張力を導入して２つのコンクリート部材を結合する場合等においても適用することができる。
また、緊張材保持体は、緊張材の接続する端部にねじ山が形成されていないときに、雌コーンと雄コーンとを有するものを用いたが、この他に、外周面にねじ山が形成された筒状の部材を用い、この筒状部材の中空孔に緊張材を挿入して中空孔の内周面と緊張材との間にモルタル・合成樹脂等を充填して固着させるもの等を採用することもできる。
【符号の説明】
【００３９】
１：橋桁，  ２：上床版，  ３：下床版，  ４：ウェブ，  ５：緊張材，
１１：緊張材保持体，  １２：雌コーン，  １３：雄コーン，  １４：連結鋼棒，  １５：カプラー，  １６：引き寄せジャッキ，  １７：新たに打設するコンクリート，  
２０：緊張材，  ２１：緊張材保持体，  ２２：雌コーン，  ２４：連結鋼棒，  ２５：カプラー，  ２６：ナット，  ２９：新規緊張材，
３１：橋桁，  ３２：橋脚，  ３３：緊張材，  ３４：仮支柱，  ３５：型枠，  ３６：新規緊張材，  ３７：型枠，  ３８：隣接する橋桁，
４１：ナット，  ４２：緊張材保持体，  ４３：連結鋼棒，  ４４：カプラー，  ４５：カプラー
【図１】
2015004188.tif 000003
【図２】
2015004188.tif 000004
【図３】
2015004188.tif 000005
【図４】
2015004188.tif 000006
【図５】
2015004188.tif 000007
【図６】
2015004188.tif 000008
【図７】
2015004188.tif 000009
【図８】
2015004188.tif 000010
【図９】
2015004188.tif 000011